(57)【要約】【課題】マグカップなどの飲み物の容器や、食事用のお茶碗などの容器を収容棚からの出し入れするとき、欠けたり割れたりすることがしばしば発生するので、かかる事態を防ぐと共に、販売の店頭に展示した時に顧客の注目を集めて販売に結びつけるとともに、幼児や子供に興味を抱かせて食事を楽しんでもらえるような容器を提供しようとするものである。【解決手段】キャラクターのぬいぐるみか、或いはこれから詰め物を除いた本体で、マグカップやお茶碗などの容器の全面、又は絵柄が表示されたものや取手が備えられたものは、この部位を除くほぼ全面を覆って形成されていることを特徴とし、取手が備えられた容器用は、取手がカバーの外に露出するように取手用の孔を設けて開口し、絵柄が表示された容器用は、少なくとも該絵柄が覆い隠されない適合する孔を設けて開口している容器カバーである。【選択図】図５
0003160308.tif 000002
【実用新案登録請求の範囲】
【請求項１】
キャラクターのぬいぐるみか、或いはこのぬいぐるみの詰め物を除いた本体で、マグカップなどの飲み物の容器や食事用のお茶碗などの容器の全面か、又は、絵柄が表示されたものや取手が備えられたものにあっては、この部位を除くほぼ全面を覆って形成されていることを特徴とする容器カバー。
【請求項２】
取手が備えられた容器用のものは、この取手が、カバーの外に露出するように適合する取手用の孔を備え、該部を開口したことを特徴とする請求項１記載の容器カバー。
【請求項３】
絵柄が表示されている容器用は、絵柄部位にあたる部位に、少なくとも該絵柄がカバーで覆い隠れない適合する大きさの孔を設けて開口している請求項１及び請求項２記載の容器カバー。
【考案の詳細な説明】
【技術分野】
【０００１】  本考案は、主としてコップマやマグカップなどの飲み物の容器と、食事用の小鉢やお茶碗などの容器に用いられるカバーに関するものである。
【背景技術】
【０００２】  コップマやグカップなどの飲み物の容器や食事用のお茶碗などの容器を収容棚から出し入れするとき、触れて欠けたり割ったりすることはしばしば発生することで珍しい事ではない。そこで、幼児や子供用のものはその点を考えて樹脂製のものが多く使用されているほどである。
また、これらの容器には一部キャラクターの絵柄を表示しているものも存在しているが、該キャラクターの表示は立体的意匠物でないことから、押し並べて興味を引きつけておける期間は短く、短期間で興味が薄れ飽きられてしまっているのが現状である。
【考案の開示】
【考案が解決しようとする課題】
【０００３】  コップやマグカップなどの飲み物の容器や食事用のお茶碗などの容器にカバーを取付けるなどの行為は、通常の生活では引越しなど以外は行なわれないのが常である。
然しながら、収容棚からの出し入れなどで欠けたり割れたりすることはそう珍しい事ではないし、キャラクターの絵柄が描かれたこれらの容器もまた珍しい事でもない。特に幼児用や子供用のものは、キャラクターの絵柄が無い方がむしろ少ないほどである。【０００４】  ここで課題として存在するのは、収容棚からの出し入れなどで欠けたり割れたりするのを防ぎ、且つ、販売の店頭に展示した時に顧客の注目を集めて販売に結びつけるとともに、幼児や子供に興味を抱かせて食事を楽しんでもらえるような容器の出現が待たれていることである。【０００５】  そこで本考案では、キャラクターのぬいぐるみか、或いはこのぬいぐるみの詰め物を除いた本体で、これらの容器の全面、又は取手を備えているものや絵柄が表示されたものにあっては、この部位を除くほぼ全面を覆うカバーを取り付けて課題を解決しようとしている。
【課題を解決するための手段】
【０００６】  上記目的を達成するため本考案では、キャラクターのぬいぐるみか、或いはこのぬいぐるみの詰め物を除いた本体で、これらの容器の全面、又は取手を備えているものや絵柄が表示されたものにあっては、この部位を除くほぼ全面を覆うカバーを取り付けて課題を解決するための手段としている。【０００７】  そこで具体的には、取手が備えられた容器用のものは、この取手がカバーの外に露出するように取手用の孔を備えて開口し、絵柄が表示された容器用は、絵柄部位にあたる部位に、少なくとも該絵柄がカバーで覆い隠されない大きさの孔を設けて開口していることを特徴としている容器カバーである。
【考案の効果】
【０００８】  本考案によれば、キャラクターのぬいぐるみか、或いはこのぬいぐるみの詰め物を除いた縫いぐるみ本体で、全面を包む形で覆いこんであるので、収納棚からの出し入れ時に触れて欠けたり割れたりする事態の解消効果が期待できる。【０００９】  また、絵柄が描かれている場合や取手を備えている容器の場合は、これらの部位に相当する部位、即ち、取手の場合はぬいぐるみ本体の背面に、絵柄の場合はその正面部に、それぞれ孔を設けて開口して対応しているので、取手の有無や絵柄の採用の有無で本考案の作用効果が損なわれる事はない。【００１０】  以上の効果の他に、本考案のキャラクターのカバー体は、図示の様な形で絵柄と合体して一つのキャラクター品を形成することで、幼児や子どもの注意をひきつける事請け合いで、このカバー体が取付けられた溶器での食べ物・飲物が大いに気に入り、好き嫌いを無くす一助ともなる思わぬ効果をも奏するので、子育て中の親にも好感を得られる。【００１１】  更に、溶器に表示された絵柄の部位は覆い隠されないよう、当該カバー体の対応部に孔を設けて開口部を形成し、その全周縁に伸縮自在なゴム紐などを縫い付ければ、異なる大きさの容器にも利用する事が可能となるなどの効果もある。
【考案を実施するための最良の形態】
【００１２】  以下、図面に基づき本考案を実施するための最良の一形態を説明すると、本考案の容器カバーは、キャラクターのぬいぐるみか、或いはそのぬいぐるみの詰め物を除いた本体で、コップやマグカップなどの飲み物の容器や、食事用の小鉢・お茶碗などの容器を覆い包み、特に収納棚からの出し入れ時に起きる割れや欠けなどを防ぐとともに、今までに無い着想で消費者の注目を引き、以って需要の喚起と、幼児や子どもに人気のキャラクターを採用する事で、興味を持たせて好き嫌いを少しでも無くす一助も果たそうとするもので、採用されるキャラクターは前記のものに限定されず、例えば若い女性用のマグカップには、好みの動物などのキャラクターであったり、観光地ではその観光地のキャラクターの採用などが考えられる。【００１３】  取手を備えた容器に、キャラクターのぬいぐるみを採用する場合は、取手に当たる部位に、取手が露出するための孔、即ち開口部を設けて対応している。このようなときは、該開口部の全周縁に例えば弾力性のあるゴムなどを包縫して、取手を露出した後は、該部位が必要以上の大きさに広がらないように考慮することが望ましい。【００１４】  絵柄が表示された容器にキャラクターのぬいぐるみカバーを採用する場合は、絵柄が表示された部位に当たる該カバーの部位に孔を開けて開口すると共に、この開口部の全周縁に例えば弾力性のあるゴムなどを縫いつけて、カバー使用後に、該カバーが動いたり廻ったりして絵柄が隠れたりすることを防ぎ、カバーのキャラクターと容器の絵柄がマッチして、そのキャラクターが持つ独特な特徴ある雰囲気を崩さないように考慮される。【００１５】  此処で説明のキャラクターのぬいぐるみカバーは、起毛されたタイプのものが採用されているが、他の例えば、著作権との関係をクリアにしなければならないことは申すまでも無いが、テレビやコミックに等に登場するもので、起毛されないぬいぐるみタイプのものであっても本考案の作用効果に関しては何ら差し支え無い。
【実施例】
【００１６】  次に図面に示した本考案の実施例につき説明すると、本考案の容器カバーは、例えばマグカップの様な溶器１と、キャラクターのぬいぐるみか、或いはこのぬいぐるみの詰め物を除いた本体５で構成され、図１は溶器１を説明するもので、カップのほぼ正面部には羊をイメージしたキャラクターの絵柄３が表示描かれていて、この絵柄部位の反対側には取手２が備えられている。【００１７】  図２はカバー本体５の正面の方を説明するものであり、このカバー本体５は、起毛７で外表面が覆われた羊をイメージしたキャラクターのぬいぐるみであって、該ぬいぐるみの詰め物を除いたものを採用している。
この羊をイメージしたぬいぐるみキャラクターの詰め物を除いたカバー本体５は、頭部の左右に耳８を、下部の左右には前脚９が設けられ、正面部位には、前記の絵柄３が隠れない大きさの孔６を設けて開口している。尚、カバー本体５を前記カップに取付けたとき、前記被せたときに動いたりずれたりするのを防ぐために、この開口部の全周縁にはゴム紐が包縫（図示を省略）されることが望ましいが、フイットする適合するサイズで作られている場合は無くとも差し支えは無い。【００１８】  図３は図２のカバー本体５を背面斜視図で説明するもの、取り付けるカップ取手の対応位置に取手用の孔１０を設けて開口している。尚、斜視位置の関係で後脚が図示されていないが、羊をイメージしたキャラクターのぬいぐるみなので前脚以外に二本の後脚が設けられる。【００１９】  図４は本考案のカバー本体５を、取手を備えた図１のマグカップに取付けた状態を側面斜視図で説明するもので、符号８は図２で説明の耳で、此処での符号９の脚は後脚を示している。【００２０】  図５は図４の正面５を斜視図で説明するもので、マグカップ１に描かれている絵柄３が、カバー本体５に設けられた開口部から見ることができ、このカバー本体に設けられた起毛７と耳８や脚９と絵柄３とがマッチして、妙にほほえましく愛らしい羊のキャラクターの雰囲気を十分に醸し出し、本考案の効果を高めることに奏している。
【産業上の利用可能性】
【００２１】  本考案の容器カバーは、キャラクターのぬいぐるみか、或いはこのぬいぐるみの詰め物を除いた本体で作られ、マグカップやお茶碗などの飲み物の容器の全面か、又は絵柄や取手が備えられたものにあっては、この部位を除くほぼ全面を覆って形成されていることを特徴とするものなので、収納棚からの出し入れ時に多く発生する欠けや割れなどの事態を防ぐ効果を奏するだけでなく、展示した時、需要者の注目を浴びる事請け合いで販売促進に大いに効果をあげる。【００２２】  その上、キャラクターを例えば幼児や子ども向けのものを採用することによって、強く注意を引き付けて興味を持たせることで、食べ物の好き嫌いを少なくする一助ともなる効果も期待できる。
更には、絵柄が描かれている溶器の場合はこの部位を開口して、この絵柄とカバーとのマッチで、醸し出すキャラクターのイメージをより一層高め、例えば職場の湯沸所の収納棚に収め置いても違和感無く感性に溶け込み、女子社員間にも大いなる好感を持って受け入れられるばかりでなく、製造上これと言った障害も無いことから産業上の利用可能性は高いものがある。
【図面の簡単な説明】
【００２３】
【図１】本考案実施例のカバー体が取り付けられるマグカップを説明図である。
【図２】本考案実施例のカバー体を正面方向から斜視図で説明する図である。
【図３】本考案実施例のカバー体を背面方向から斜視図で説明する図である。
【図４】実施例カバー体を、マグカップに取付けた状態を背面方向から斜視図で説明する図である。
【図５】図４のカバー体を正面方向から斜視図で説明する図である。
【符号の説明】
【００２４】１カップ本体      ２取手      ３絵柄      ５カバー体      ６絵柄用孔      ７起毛      ８耳      ９脚      １０取手用孔
【図１】
0003160308.tif 000003
【図２】
0003160308.tif 000004
【図３】
0003160308.tif 000005
【図４】
0003160308.tif 000006
【図５】
0003160308.tif 000007
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
キャラクターのぬいぐるみか、或いはこのぬいぐるみの詰め物を除いた本体で、マグカップなどの飲み物の容器や食事用のお茶碗などの容器の全面か、又は、絵柄が表示されたものや取手が備えられたものにあっては、絵柄が表示された部位や取手が備えられた部位を除くほぼ全面を覆って形成されていることを特徴とする容器カバー。
【請求項２】
取手が備えられた容器用のものは、この取手が、カバーの外に露出するように適合する取手用の孔を備え、取手がカバーの外に露出するように取手が備えられている部位を開口したことを特徴とする請求項１記載の容器カバー。
【請求項３】
絵柄が表示されている容器用は、絵柄部位にあたる部位に、少なくとも該絵柄がカバーで覆い隠れない適合する大きさの孔を設けて開口している請求項１または請求項２記載の容器カバー。